(57)【要約】      （修正有）【課題】紙類の運送、整理、スタッキング、括りと梱包、収納などの作業を自動化することができる紙類整頓スタッキング機構を提供する。【解決手段】紙類整頓スタッキング機構は、コンベヤ装置１の給紙機台１１を利用し、外部から送られてくるプリセット紙材を受け取り、コンベヤ機台１２を経て、整頓装置２へと伝送し、整頓装置の調整部２４により、プリセット紙材を逐一スタッキング装置３の作業プラットホーム３１へと伝送する。こうして複数のプリセット紙材は、作業プラットホーム上のスタッキング空間で整然とスタッキングされ、回を分けて輸送される複数のプリセット紙材を、ずらした方式で配列、スタッキングし、これにより整然とスタッキングされた複数のプリセット紙材は、括られ、運搬に便利となり、作業時間を短縮し、人力を節減できる。【選択図】図１
0003174066.tif 000002
【実用新案登録請求の範囲】
【請求項１】
コンベヤ装置、整頓装置、スタッキング装置を備え、
前記コンベヤ装置は、外部のプリセット紙材を受け取る給紙機台を設置し、前記給紙機台片側には、前記プリセット紙材を輸送するコンベヤ機台を設置し、
前記整頓装置は、前記コンベヤ装置のコンベヤ機台外側に設置し、前記コンベア機台側辺に設置する受止めベースを設置し、前記受止めベースを駆動し縦方向の揺動移動を生じさせる駆動部を設置し、前記駆動部に相対し、前記受止めベース上には、前記プリセット紙材の送り出しを制御する調整部を設置し、
前記スタッキング装置は、前記整頓装置の受止めベース外側に設置し、伝動部の制御を受けて縦方向、横方向に移動する作業プラットホームを設置し、しかも前記作業プラットホーム上方には、前記調整部が送ってくるプリセット紙材を受け取るスタッキング空間を設置し、前記作業プラットホーム上方には、前記プリセット紙材を調整する位置限定部を設置することを特徴とする紙類整頓スタッキング機構。
【請求項２】
前記給紙機台は、外部のプリセット紙材を受け取り、前記紙材は、板状段ボール紙、或いは板状厚紙であることを特徴とする請求項１に記載の紙類整頓スタッキング機構。
【請求項３】
前記コンベヤ装置の給紙機台片側には、外へと斜め上に延伸するコンベヤ機台を設置し、しかも、前記コンベヤ機台には、前記プリセット紙材を輸送するベルトコンベヤを設置し、前記ベルトコンベヤの伝動速度を調整する動力モーターを設置することを特徴とする請求項１に記載の紙類整頓スタッキング機構。
【請求項４】
前記整頓装置の受止めベースは、底部の片側に、サポート軸部を設置し、
前記サポート軸部には、駆動モーターに連動される受止めコンベヤベルトを設置し、しかも前記受止めコンベヤベルトは、前記受止めベースまで延伸し、反対側に回転軸を設置し、さらに前記回転軸外側には、前記受止めベースを駆動して縦方向の揺動移動を生じさせる駆動部を設置し、
前記駆動部は、液圧シリンダー、気圧シリンダー、或いはギアユニット、ギア及びラック伝動ユニット、或いはチェーン及びチェーン伝動ユニット、或いはモーターなどであることを特徴とする請求項１に記載の紙類整頓スタッキング機構。
【請求項５】
前記整頓装置の受止めベース片側には、前記プリセット紙材の送り出しを制御する調整部を設置し、
前記調整部には、連棒を通して設置するサポートフレームを設置し、しかも前記サポートフレーム片側には、前記連棒を駆動し弧状揺動を呈して昇降させる押上げユニットを設置し、前記押上げユニットに相対し、前記連棒の反対側には、接触保持ホイール、整頓棒体をそれぞれ設置し、
前記接触保持ホイール底部と前記受止めベース表面には、前記プリセット紙材を送り出す送紙通路を形成することを特徴とする請求項１に記載の紙類整頓スタッキング機構。
【請求項６】
前記調整部の連棒片側には、押上げユニットを設置し、前記押上げユニットにより前記連棒の揺動上昇を連動し、
これにより、前記連棒反対側の接触保持ホイールと受止めベース表面の送紙通路の間隔距離を調整し、
前記押上げユニットは、液圧シリンダー、気圧シリンダー、或いはギアユニット、ギア及びラック伝動ユニット、或いはチェーン及びチェーン伝動ユニット、或いはモーターなどであることを特徴とする請求項５に記載の紙類整頓スタッキング機構。
【請求項７】
前記スタッキング装置には、前記作業プラットホームを駆動し、縦方向の昇降、水平のスライド移動を行わせる伝動部を設置し、
しかも、前記伝動部は、液圧シリンダー、気圧シリンダー、或いはギアユニット、ギア及びラック伝動ユニット、或いはチェーン及びチェーン伝動ユニット、或いはモーターなどあることを特徴とする請求項１に記載の紙類整頓スタッキング機構。
【請求項８】
前記スタッキング装置の作業プラットホーム上方には、前記プリセット紙材を受け取るスタッキング空間を設置し、
前記作業プラットホーム上方に位置するスタッキング空間頂点部には、前記位置限定部をスライド移動させるスライドレールを設置することを特徴とする請求項１に記載の紙類整頓スタッキング機構。
【考案の詳細な説明】
【技術分野】
【０００１】
本考案は紙類整頓スタッキング機構に関し、特にプリセットした紙材を自動的に整頓して重ね、保管するスタッキング機構で、コンベア装置、整頓装置、スタッキング装置を通して、プリセット紙材を順序良く整理、スタッキングし、収蔵と応用の便を図り、プリセットした紙材を整頓配列し、積み重ねて保管することができる紙類整頓スタッキング機構に関する。
【背景技術】
【０００２】
我々は日常生活で常に、紙に接し、紙を使用する。
筆記に用いる紙、パッキング用の包装紙、事務用紙などの他に、物品を収容し、物品を保護して運搬、収蔵、土台とするなどには、段ボール箱が使用される。
しかも、板状段ボール紙は日常生活において、非常に頻繁に使用されている。
【０００３】
板状段ボール紙の製造プロセスでは、スプライサ、予熱、波型成型、糊付け、冷却、プレス、裁ち落とし、切断、スタッキングなどの工程を経て連続して加工し、板状段ボール紙に成型する。
成型された板状段ボール紙は、それぞれ段ボール箱、板材、或いは各種型式の製品に加工され、さまざまな用途に用いられる。
【０００４】
図８に示すように、現在、板状段ボール紙の加工業界においては、板状段ボール紙の製造時、輸送及びスタッキングのステップにおいて、成型した板状段ボール紙Aを、ベルトコンベヤBを通して、スタッキングベルトコンベヤCへと輸送する。
これを、予定数量(１０枚、１５枚、或いは２０枚など)まで重ねると、さらにスタッキングベルトコンベヤCを利用し、外へと送り出す。
【０００５】
しかし、実際の作動実施時には、以下の欠点が存在する。
（１）ベルトコンベヤBが板状段ボール紙AをスタッキングベルトコンベヤCへと輸送後は、人手による補助がなければ、スタッキングベルトコンベヤC上の板状段ボール紙Aを整理し、複数の板状段ボール紙Aを整然と配列し、重ねることはできない。しかも、重なった板状段ボール紙Aは、スタッキングベルトコンベヤC上に位置するため、括り作業が行いにくい。すなわち、非常に多くの人手と作業時間が必要である。
（２）板状段ボール紙Aの輸送過程では、スタッキングと運搬に人手による補助が必要である。そのため、ベルトコンベヤB、スタッキングベルトコンベヤCの輸送速度を、作業人員の処理速度に対応させなければならないため、それほど速くすることができない。しかしこれでは、生産速度、後続の括り作業及び運搬速度を落としてしまい、生産能力、生産効率が悪くなってしまう。
（３）作業過程の速度、効率、生産能力などが劣るため、加工時間が長くなり、製造コストを押し上げ、エネルギーの浪費を招くため、コストパフォーマンスが低い。
【０００６】
本考案は、従来の板状段ボール紙の製造、加工過程が、作業時間と人力を浪費し、板状段ボール紙の括り作業、運搬がベルトコンベヤの影響を受け、作業がスムーズにいかないという問題を解決するためなされたものである。
【考案の概要】
【考案が解決しようとする課題】
【０００７】
本考案が解決しようとする課題は、紙類の運送、整理、スタッキング、括りと梱包、収納などの作業を自動化することができる紙類整頓スタッキング機構を提供することである。
【課題を解決するための手段】
【０００８】
上記課題を解決するため、本考案は下記の紙類整頓スタッキング機構を提供する。
紙類整頓スタッキング機構のコンベヤ装置は、給紙機台を利用し、外部のプリセット紙材を受け取り、しかもコンベヤ機台により、該プリセット紙材を、反対側辺の整頓装置の受止めベースまで送り出し、駆動部により、該受止めベースを駆動し縦方向揺動状に移動させ、
該受止めベース上には、調整部を設置し、該プリセット紙材を制御し、外側に設置するスタッキング装置の作業プラットホームまで送り出し、
該作業プラットホームは、伝動部により制御され、縦方向、横方向の移動を行い、こうして該作業プラットホームのスタッキング空間を利用し、調整部が送り出してくるプリセット紙材を受け取り、
該スタッキング空間上方の位置限定部を通して、プリセット紙材の方向を調整し、プリセット紙材のスタッキング数、方向、位置を制御し、プリセット紙材を整頓して重ねる目的を達成し、
紙類整頓スタッキング機構のコンベヤ装置の給紙機台片側には、外へと斜めに上昇して延伸するコンベヤ機台を設置し、
しかも、該コンベヤ機台には、該プリセット紙材を輸送するベルトコンベヤを設置し、該ベルトコンベヤの伝動速度を調整する動力モーターを設置し、
該ベルトコンベヤ反対側に位置する整頓装置の受止めベースは、片側底部に駆動部を設置し、該受止めベースを駆動して、縦方向の上下揺動移動を行わせ、しかも該受止めベース上には、調整部を設置し、プリセット紙材の送り出し数を制御することができ、
紙類整頓スタッキング機構のスタッキング装置には、伝動部を設置し、該伝動部を利用して、作業プラットホームを連動し縦方向の昇降、横方向のスライド移動を行わせ、複数のプリセット紙材を、異なる位置、方向に配列、積み重ねる。
【考案の効果】
【０００９】
本考案の紙類整頓スタッキング機構は、コンベヤ装置の給紙機台を利用し、外部から送られてくるプリセット紙材を受け取り、コンベヤ機台を経て、整頓装置へと伝送し、整頓装置の調整部により、プリセット紙材を逐一スタッキング装置の作業プラットホームへと伝送し、こうして複数のプリセット紙材は、作業プラットホーム上のスタッキング空間で整然とスタッキングされ、回を分けて輸送される複数のプリセット紙材を、ずらした方式で配列、スタッキングし、これにより整然とスタッキングされた複数のプリセット紙材は、括られ、運搬に便利となり、作業時間を短縮し、人力を節減できる。
しかも、プリセット紙材の運送、スタッキングを自動で行うことで、複数のプリセット紙材を上下に配列し、整然と積み重ね、複数のプリセット紙材のスタッキング、収蔵作業において、作業コストを低下させ、資源の浪費を回避でき、プリセット紙材の整頓、スタッキングを迅速に行うことができる。
【図面の簡単な説明】
【００１０】
【図１】本考案の側面図である。
【図２】本考案の局部拡大側面図である。
【図３】本考案におけるプリセット紙材を整頓する様子を示す側面図(一)である。
【図４】本考案におけるプリセット紙材を整頓する様子を示す側面図(二)である。
【図５】本考案におけるプリセット紙材を整頓する様子を示す側面図(三)である。
【図６】本考案におけるプリセット紙材を整頓する様子を示す側面図(四)である。
【図７】本考案におけるプリセット紙材を整頓する様子を示す側面図(五)である。
【図８】従来の紙類コンベヤ装置の立体外観図である。
【考案を実施するための形態】
【００１１】
以下に図面を参照しながら本考案を実施するための最良の形態について詳細に説明する。
【００１２】
本考案の側面図、局部拡大側面図で図１、２に示すように、本考案の紙類整頓スタッキング機構は、コンベヤ装置１、整頓装置２、スタッキング装置３を備える。
【００１３】
コンベヤ装置１は、給紙機台１１を設置する。
給紙機台１１片側には、コンベヤ機台１２を設置する。
しかも、コンベヤ機台１２は、給紙機台１１片側から、外へと斜め上に延伸する。
コンベヤ機台１２には、動力モーター１３を設置する。
動力モーター１３により、ベルトコンベヤ１３１を連動し、コンベヤ機台１２上で循環運動を行わせる。
【００１４】
整頓装置２は、受止めベース２１に設置する。
受止めベース２１底部両側には、それぞれサポート軸部２２、駆動部２３を設置する。
サポート軸部２２は、駆動モーター２２１に連動されて回転する。
しかも、サポート軸部２２には、受止めベルトコンベア２２２を嵌めて設置する。
受止めベルトコンベア２２２の他方側はさらに、回転軸２２３に嵌めて設置する。
これにより、受止めベルトコンベア２２２は、サポート軸部２２、回転軸２２３の間において循環運動を行う。
【００１５】
また、回転軸２２３、駆動部２３に近い受止めベース２１の片側上方には、調整部２４を設置する。
しかも、調整部２４は、受止めベース２１上に、サポートフレーム２４１を設置する。
サポートフレーム２４１上には、L型連棒２４２を可動状に設置する。
連棒２４２の片側には、押上げユニット２４３を設置し、反対側には、接触保持ホイール２４４、整頓棒体２４５をそれぞれ設置する。
接触保持ホイール２４４により、受止めベース２１表面に接触し、接触保持ホイール２４４と受止めベース２１との間には、送紙通路２５を形成する。
こうして、押上げユニット２４３は、連棒２４２を駆動し、サポートフレーム２４１を軸心として、揺動式の縦方向上昇移動を生じる。
これにより、接触保持ホイール２４４と受止めベース２１との間の送紙通路２５の間隔距離を調整する。
【００１６】
スタッキング装置３は、枠台３０底部において、作業プラットホーム３１を設置する。
作業プラットホーム３１外部には、伝動部３２を設置し、伝動部３２を通して、作業プラットホーム３１を駆動し、縦方向の上昇、下降移動、及び水平の前、後、左、右スライドを行わせる。
作業プラットホーム３１上方には、収納機能を備えるスタッキング空間３１０を形成する。
しかも、スタッキング空間３１０上方の枠台３０頂点部には、移動スライドレール３３を設置する。
移動スライドレール３３上には、位置限定部３３１を可動状に設置する。
さらに、位置限定部３３１は下方へと延伸し、位置限定ガード体３３２を設置する。
これにより、位置限定ガード体３３２は、スタッキング空間３１０内に進入する。
【００１７】
上記した構造、装置の組立て時には、コンベヤ装置１のコンベヤ機台１２の、斜めへと延伸する高い位置の外側に、整頓装置２の受止めベース２１を設置する。
さらに、受止めベース２１の調整部２４外側には、スタッキング装置３の枠台３０を設置する。
しかも、調整部２４のL型連棒２４２片側の整頓棒体２４５は、スタッキング装置３のスタッキング空間３１０内に延伸する。
こうして、本考案のスタッキング機構を構成し、プリセットした紙類の配列、スタッキングの整頓作業を行うことができる。
【００１８】
上記したコンベヤ装置１は、給紙機台１１で、外部のプリセットした紙材４を受け取る。
プリセットした紙材４は、板状段ボール紙、或いは板状厚紙などである。
しかも、整頓装置２の受止めベール２１が、片側底部に設置する駆動部２３、調整部２４が設置する押上げユニット２４３は、それぞれ液圧シリンダー、気圧シリンダー、或いはギアユニット、ギア及びラック伝動ユニット、或いはチェーン及びチェーン伝動ユニット、或いはモーターなどで、駆動機能を備える構造、装置である。
スタッキング装置３の伝動部３２もまた、液圧シリンダー、気圧シリンダー、或いはギアユニット、ギア及びラック伝動ユニット、或いはチェーン及びチェーン伝動ユニット、或いはモーターなどで、駆動機能を備える構造、装置である。
【００１９】
しかも、上記したコンベヤ装置１の動力モーター１３は、回転速度の変化で、ベルトコンベヤ１３１のコンベヤ機台１２１上での輸送速度を制御する。
整頓装置２の駆動モーター２２１もまた、回転速度の変化で、受止めベルトコンベヤ２２２の受止めベース２１上での輸送速度を制御する。
【００２０】
本考案の側面図、局部拡大側面図、プリセット紙材を整頓する様子を示す側面図(一)である図１、２、３に示すように、本考案の整頓スタッキング機構が、プリセット紙材４の整頓を行う時には、コンベヤ装置１の給紙機台１１により、外部から送られてくるプリセット紙材４(板状段ボール紙などの紙類)を受止める。
プリセット紙材４は、まとめて生産され、分けて積み重ねる。
さらに、動力モーター１３を利用し、ベルトコンベヤ１３１の速度を制御する。
これにより、ベルトコンベヤ１３１は、コンベヤ機台１２がゆっくり移動している時には、所定数量のプリセット紙材４(１０枚、１５枚、或いは２０枚など。現場の製造状況に応じて、スタッキング数量は調整する)を堆積させてスタッキングすることができる。
こうして、複数のプリセット紙材４は、斜めに重なる。
【００２１】
ベルトコンベヤ１３１上に、予定数量のプリセット紙材４を重ねた後、動力モーター１３は、ベルトコンベヤ１３１の回転速度を速め、スタッキングされた複数のプリセット紙材４を、反対側の整頓装置２の受止めベース２１まで輸送する。
これと同時に、駆動部２３により、受止めベース２１片側を連動して下降させる。
こうして、受止めベース２１は、スタッキング装置３の方へと傾斜、下降する。
さらに、整頓装置２の駆動モーター２２１により、サポート軸部２２を駆動し、受止めベルトコンベヤ２２２を連動し、スタッキングされた複数のプリセット紙材４を、調整部２４へと伝送する。
【００２２】
調整部２４の接触保持ホイール２４４と受止めベース２１表面との間に形成する送紙通路２５は、プリセットされた紙材４一枚が通過するのに適した間隔距離に調整される。
受止めベルトコンベヤ２２２はスローな輸送方式により、複数のスタッキング状のプリセット紙材４を、調整部２４の接触保持ホイール２４４へと移送する。
こうして、スタッキングされた複数のプリセット紙材４は、一枚ずつ送紙通路２５を通過し、スタッキング装置３の作業プラットホーム３１に進入し、スタッキング空間３１０において、順番に積み重なって行く。
しかも、スタッキング空間３１０の位置限定部３３１の位置限定ガード体３３２、調整部２４の整頓棒体２４５は、スタッキング空間３１０にスタッキングされる複数のプリセット紙材４の両側に、それぞれ接触する。
これにより、複数のプリセット紙材４は、整然と上に向かって配列し、スタッキングされ、両側が揃わないという現象は発生しない。
同時に、作業プラットホーム３１は、下方へと調整され、スタッキング空間３１０が複数のプリセット紙材４を収納できるよう調整される。
【００２３】
本考案の側面図、プリセット紙材を整頓する様子を示す側面図(二)、プリセット紙材を整頓する様子を示す側面図(三)、プリセット紙材を整頓する様子を示す側面図(四)、プリセット紙材を整頓する様子を示す側面図(五)である図１、４、５、６、７に示すように、本考案の整頓スタッキング機構が、プリセット紙材４の整頓を行う時には、受止めベース２１上に位置するスタッキングされた複数のプリセット紙材４がすべて、調整部２４を通過し、作業プラットホーム３１に整然と積み重ねられた後、整頓装置２の駆動部２３は、受止めベース２１を上昇させ、水平状に復位させる。
さらに、コンベヤ装置１は、給紙機台１１から送ってくる複数のプリセット紙材４を受け取り、複数の紙材4を、再び傾斜スタッキング状とし、コンベヤ機台１２のベルトコンベヤ１３１により、受止めベース２１上へと移送させる。
こうして、数度の繰り返しを行うことで、まとめて製造されたプリセット紙材４を、整然と積み重ねることができる。
【００２４】
受止めベース２１は、スタッキング状の複数のプリセット紙材４を受け取った後、駆動部２３により、受止めベース２１片側を連動し下降、傾斜させる。
駆動モーター２２１により、サポート軸部２２を駆動し、受止めベルトコンベヤ２２２を連動し、複数のプリセット紙材４を、調整部２４へと輸送する。
スタッキング装置３の伝動部３２は、作業プラットホーム３１を水平に移動させ、スタッキングされた複数のプリセット紙材４側辺に位置するよう調整し、上方の位置限定部３３１の位置限定ガード体３３２を離れ、位置限定ガード体３３２と複数のプリセット紙材４側辺とは、所定の間隔距離Dを形成する。
【００２５】
受止めベース２１上の複数のプリセット紙材４が再度、調整部２４の送紙通路２５を通過し、スタッキング空間３１０に入り、一つ前の回の複数のプリセット紙材４上方に積み重なると、位置限定ガード体３３２、整頓棒体２４５を通して、複数のプリセット紙材４の両側片を制限する。
こうして、重なった複数のプリセット紙材４が、上下が揃わないというスタッキング状態を形成することがないようにし、隣接する二回分の複数のプリセット紙材４は、位置をずらした方式で、整然と交差して積み重なる。
作業プラットホーム３１上に、複数層のプリセット紙材４をスタッキングした後は、現場の作業員は、交差して重なる各層プリセット紙材４側辺を利用し、便利かつ迅速に括り作業、梱包作業を行うことができる。
【００２６】
こうして、周辺環境の干渉、阻害を受けず、括り作業後の複数のプリセット紙材４を、スタッキング装置３から便利に運び出せ、後続の処理を行うことができる。
これにより、人手を省き、作業時間を短縮することができ、一貫した自動作業スタッキングを通して、作業コストを引き下げ、資源の浪費を回避することができる。
【００２７】
上記は本考案の実施例に過ぎず、本考案の実用新案登録請求の範囲を限定するものではない。
本考案の整頓スタッキング機構は、コンベヤ装置１の給紙機台１１を利用し、外部のプリセット紙材４を受け取り、コンベヤ機台１２はベルトコンベヤ１３１により、整頓装置２の受止めベース２１へと輸送する。
受止めベース２１を通して、傾斜して配列する複数のプリセット紙材４を、逐一スタッキング装置３の作業プラットホーム３１へと伝送する。
作業プラットホーム３１上のスタッキング空間３１０において、プリセット紙材４全体の整頓とスタッキングを行い、区分けを達成し、複数のプリセット紙材４を、上下にずれた方式で積み重ねる。
こうして、後続の括り作業、運搬作業をスムーズにする目的を達成し、しかも作業プラットホーム３１上方のスタッキング空間３１０は、位置限定部３３１の位置限定ガード体３３２を利用し、調整部２４の整頓棒体２４５に対応する。
重なった複数のプリセット紙材４の両側において、整頓、ガードを行い、上、下に重なった複数のプリセット紙材４は、整然と積み重なる。
こうして、人手を省き、作業時間を短縮し、作業コストを引き下げることができ、資源を無駄なく利用することができる。
【００２８】
上記したように、本考案紙類整頓スタッキング機構の実際の使用時には、以下のような長所を備える。
(一)コンベヤ装置１の給紙機台１１を利用し、外部の製造されたプリセット紙材４全体を受け取り、コンベヤ機台１２を経て、整頓装置２へと伝送する。さらに、調整部２４により、プリセット紙材４を逐一スタッキング装置３へと送り入れ、整頓スタッキングを行い、迅速に整理整頓して積み重ねる効果を達成でき、作業時間を短縮し、人力を節減でき、製造コストを低下させることができる。
(二)スタッキング装置３の作業プラットホーム３１は、伝動部３２を通して、横方向、縦方向の移動を制御し、さらに位置限定ガード体３３２、整頓棒体２４５を対応させ、プリセット紙材４の位置を限定して整頓し、複数のプリセット紙材４を区分し、上下にずれた方式で作業プラットホーム３１上に積み重ね、これにより作業員は、重なった複数のプリセット紙材４の括り作業、運搬作業を便利に行い、周辺環境の干渉現象を減らし、プリセット紙材４の整頓作業を加速することができる。
(三)コンベヤ装置１、整頓装置２、スタッキング装置３は、プリセット紙材４のスタッキングを補助するため、複数のプリセット紙材４は整然と重ねられ、上下が揃わないという現象は発生せず、作業員が時間をかけて整理するという状況を回避でき、作業時間を大幅に短縮でき、資源の浪費を避けることができる。
【００２９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３０】
本考案は実用新案の要件である新規性を備え、従来の同類製品に比べ十分な進歩を有し、実用性が高く、社会のニーズに合致しており、産業上の利用価値は非常に大きい。
【符号の説明】
【００３１】
１      コンベヤ装置
１１    給紙機台
１２    コンベヤ機台
１３    動力モーター
１３１  ベルトコンベヤ
２      整頓装置
２１    受止めベース
２２    サポート軸部
２２１  駆動モーター
２２２  受止めベルトコンベア
２２３  回転軸
２３    駆動部
２４１  サポートフレーム
２４２  連棒
２４３  押上げユニット
２４４  接触保持ホイール
２４５  整頓棒体
２５    送紙通路
２４    調整部
３      スタッキング装置
３０    枠台
３１    作業プラットホーム
３１０  スタッキング空間
３２    伝動部
３３    移動スライドレール
３３１  位置限定部
３３２  位置限定ガード体
４      紙材
Ａ      段ボール紙
Ｂ      ベルトコンベヤ
Ｃ      スタッキングベルトコンベヤ
【図１】
0003174066.tif 000003
【図２】
0003174066.tif 000004
【図３】
0003174066.tif 000005
【図４】
0003174066.tif 000006
【図５】
0003174066.tif 000007
【図６】
0003174066.tif 000008
【図７】
0003174066.tif 000009
【図８】
0003174066.tif 000010